(57)【要約】  【課題】  小型でより操作力を軽くできるとともにスムーズにハンドルを回動できる扉開閉機構を提供する。  【解決手段】  開口部を有した本体部６に取り付けられる扉２ａを開口部の周囲に接離して開口部を開閉する扉開閉機構において、シャフト５１により扉２ａに軸支されるハンドル５と、ハンドル５に遊嵌される第１軸部３２ａと扉２ａに支持される第２軸部３２ｂと第２軸部の端部から屈曲される屈曲部３２ｃとを有するクランクシャフトと、屈曲部３２ｃに取り付けられて本体部６に設けたスライド外カム１２に対向配置されるカムレバー３１と、第２軸部３２ｂを嵌合して支持する略Ｕ字型の嵌合部５６ａを有して扉２ａに配されるシャフトカバー５６と、シャフトカバー５６に保持されて第２軸部３２ｂの開放側を支持する支持部材５７とを備え、操作部５ａを引くとカムレバー３１がスライド外カム１２を押圧して扉２ａが開口部の周囲から所定間隔離隔される。【選択図】      図５
2006132788.tif 000002
【特許請求の範囲】
【請求項１】
開口部を有した本体部に取り付けられる扉を前記開口部の周囲に接離して前記開口部を開閉する扉開閉機構において、
前記扉に軸支されるとともに操作部を把持して回動するハンドルと、
前記ハンドルの回動軸に対して前記操作部と同じ側で前記ハンドルに回動自在に遊嵌される第１軸部と、第１軸部の端部を屈曲した連続部を介して第１軸部と平行に形成されるとともに前記扉に支持される第２軸部と、第２軸部の先端を第１軸部の反対側に垂直方向に屈曲した屈曲部とを有するクランクシャフトと、
前記屈曲部に取り付けられて第２軸部に一体化されるとともに前記開口部の周囲に対向配置される当接部と、
前記扉に配されて前記クランクシャフトが挿通されるとともに、前記連続部及び前記屈曲部の少なくとも一方が貫通可能な幅を有して第１、第２軸部がそれぞれ配される第１、第２空間部を有し、該幅方向の一方を開放して第２軸部が嵌合される嵌合部を第２空間部の端部に設けたシャフトカバーと、
第２空間部に嵌合して保持される保持部と、前記嵌合部に嵌合された第２軸部の開放側を支持する軸支持部とを有する支持部材と、
を備え、前記操作部を引くと前記当接部が前記本体部を押圧して前記扉が前記開口部の周囲から所定間隔離隔されることを特徴とする扉開閉機構。
【請求項２】
前記軸支持部は第２軸部の周面に沿った円筒面を有することを特徴とする請求項１に記載の扉開閉機構。
【請求項３】
前記軸支持部は前記保持部よりも第２軸部の軸方向に長いことを特徴とする請求項１または請求項２に記載の扉開閉機構。
【請求項４】
前記支持部材が当接して前記支持部材の軸方向を位置決めするリブを、第２空間部の内壁に複数幅方向に並べて突設したことを特徴とする請求項１〜請求項３のいずれかに記載の扉開閉機構。
【請求項５】
前記支持部材が当接して前記支持部材の軸方向を位置決めする段差を、第２空間部の内壁に設けたことを特徴とする請求項１〜請求項４のいずれかに記載の扉開閉機構。
【請求項６】
第２空間部の開放端と前記屈曲部との距離を前記保持部の厚みよりも大きくしたことを特徴とする請求項１〜請求項５のいずれかに記載の扉開閉機構。
【発明の詳細な説明】
【技術分野】
【０００１】
本発明は、冷蔵庫等の扉を開閉させる扉開閉機構に関する。
【背景技術】
【０００２】
開口部を有した本体部に取付けられた扉が開口部の周囲に接離して開口部を開閉する従来の扉開閉機構は特許文献１に開示されている。この扉開閉機構は本体部に扉が回動可能に設けられ、扉にはハンドルが軸支される。ハンドルは使用者が把持して操作する操作部を有し、ハンドルの回動軸に対して操作部と反対側の端部は開口部の周囲に対向して配置される。操作部を引いてハンドルを回動すると、てこの原理によって該端部が本体部を押圧する。これにより、小さい操作力で扉が開口部の周囲から所定間隔離隔され、更に操作部を引くことにより扉が回動して開成される。
【特許文献１】特開２０００−１８８０３号公報（第２頁−第３頁、第３図）
【発明の開示】
【発明が解決しようとする課題】
【０００３】
しかしながら、上記従来の扉開閉機構によると、ハンドルの操作力を軽くするためには操作部を長くする必要がある。加えて、本体部を押圧する端部が操作部と反対側に配置される。このため、ハンドルが大型になり、回動半径が大きく操作性が低下する問題があった。また、ハンドルを設置するスペースが制限される場合には、操作部と回動軸とが接近して操作力を充分軽くすることができない問題があった。
【０００４】
本発明は、小型でより操作力を軽くできる扉開閉機構を提供することを目的とする。
【課題を解決するための手段】
【０００５】
上記目的を達成するために本発明は、開口部を有した本体部に取り付けられる扉を前記開口部の周囲に接離して前記開口部を開閉する扉開閉機構において、
前記扉に軸支されるとともに操作部を把持して回動するハンドルと、
前記ハンドルの回動軸に対して前記操作部と同じ側で前記ハンドルに回動自在に遊嵌される第１軸部と、第１軸部の端部を屈曲した連続部を介して第１軸部と平行に形成されるとともに前記扉に支持される第２軸部と、第２軸部の先端を第１軸部の反対側に垂直方向に屈曲した屈曲部とを有するクランクシャフトと、
前記屈曲部に取り付けられて第２軸部に一体化されるとともに前記開口部の周囲に対向配置される当接部と、
前記扉に配されて前記クランクシャフトが挿通されるとともに、前記連続部及び前記屈曲部の少なくとも一方が貫通可能な幅を有して第１、第２軸部がそれぞれ配される第１、第２空間部を有し、該幅方向の一方を開放して第２軸部が嵌合される嵌合部を第２空間部の端部に設けたシャフトカバーと、
第２空間部に嵌合して保持される保持部と、前記嵌合部に嵌合された第２軸部の開放側を支持する軸支持部とを有する支持部材と、
を備え、前記操作部を引くと前記当接部が前記本体部を押圧して前記扉が前記開口部の周囲から所定間隔離隔されることを特徴としている。
【０００６】
この構成によると、操作部を把持して引くと第１軸部を介してハンドルに連結されるクランクシャフトが第２軸部を回動中心として回動する。クランクシャフトの回動によって屈曲部と一体の当接部が回動して開口部の周囲が押圧される。ハンドルの操作力はてこの原理により増幅して第１軸部に伝えられ、更にクランクシャフトで増幅して当接部に伝えられる。また、ハンドルの回動軸に対して操作部と第１軸部が同じ側に配置され、ハンドルとクランクシャフトが平面視または正面視において重なって配置される。
【０００７】
クランクシャフトは扉に設けたシャフトカバーに挿通されており、第１、第２空間部を例えば正面から見てクランク状に連通して形成して第１、第２軸部が第１、第２空間部に配置される。連続部よりも屈曲部が短い場合は、第１空間部及び第２空間部は屈曲部の長さよりも幅広に形成され、第１空間部の開放端からクランクシャフトが挿入される。また、屈曲部よりも連続部が短い場合は、第１空間部及び第２空間部は連続部の長さよりも幅広に形成され、第２空間部の開放端からクランクシャフトが挿入される。第２空間部の一端部は例えば円筒面状に形成され、第２軸部の一方の半周面を開放するとともに他方の半周面を嵌合部により嵌合して支持する。支持部材は第２空間部に保持され、支持部材の端部に設けられる軸支持部の端面により第２軸部の開放側が支持される。
【０００８】
また本発明は、上記構成の扉開閉機構において、前記軸支持部は第２軸部の周面に沿った円筒面を有することを特徴としている。この構成によると、第２軸部が円筒面で支持される。
【０００９】
また本発明は、上記構成の扉開閉機構において、前記軸支持部は前記保持部よりも第２軸部の軸方向に長いことを特徴としている。
【００１０】
また本発明は、上記構成の扉開閉機構において、前記支持部材が当接して前記支持部材の軸方向を位置決めするリブを、第２空間部の内壁に複数幅方向に並べて突設したことを特徴としている。この構成によると、第２空間部の開放側から挿入される支持部材はリブに当接して軸方向が位置決めされる。
【００１１】
また本発明は、上記構成の扉開閉機構において、前記支持部材が当接して前記支持部材の軸方向を位置決めする段差を、第２空間部の内壁に設けたことを特徴としている。この構成によると、第２空間部の開放側から挿入される支持部材は段差に当接して軸方向が位置決めされる。
【００１２】
また本発明は、上記構成の扉開閉機構において、第２空間部の開放端と前記屈曲部との距離を前記保持部の厚みよりも大きくしたことを特徴としている。この構成によると、第２開放部と屈曲部との隙間から支持部材が第２空間部内に挿入される。
【発明の効果】
【００１３】
本発明によると、ハンドルの回動軸に対して操作部と同じ側でハンドルに遊嵌される第１軸部と、第１軸部と平行に形成されて扉に支持される第２軸部と、第２軸部の先端を第１軸部の反対側に垂直方向に屈曲した屈曲部とを有したクランクシャフトを備えたので、ハンドルとクランクシャフトを重なるように配置して扉開閉機構を小型にできるとともに、操作部を引く操作力をハンドル及びクランクシャフトにより増幅して軽い操作力で扉を開くことができる。
【００１４】
また、クランクシャフトが挿通されるシャフトカバーに設けた嵌合部と、シャフトカバーに嵌合される支持部材とによって第２軸部を支持したので、第２軸部の位置変動を防止してハンドルをスムーズに回動することができる。
【００１５】
また本発明によると、支持部材の軸支持部は第２軸部の周面に沿った円筒面を有するので、第２軸部をより確実に支持することができる。
【００１６】
また本発明によると、支持部材の軸支持部が保持部よりも第２軸部の軸方向に長いので、第２軸部をより確実に支持することができる。
【００１７】
また本発明によると、支持部材が当接して支持部材の軸方向を位置決めするリブを、第２空間部の内壁に複数幅方向に並べて突設したので、支持部材を容易に位置決めできるとともに、支持部材の傾斜を防止して第２軸部をより確実に支持することができる。
【００１８】
また本発明によると、支持部材が当接して支持部材の軸方向を位置決めする段差を、第２空間部の内壁に設けたので、支持部材を容易に位置決めできるとともに、支持部材の傾斜を防止して第２軸部をより確実に支持することができる。
【００１９】
また本発明によると、第２空間部の開放端と屈曲部との距離を保持部の厚みよりも大きくしたので、第２空間部内に支持部材を容易に挿入することができる。
【発明を実施するための最良の形態】
【００２０】
以下に本発明の実施形態を図面を参照して説明する。図１は一実施形態の扉開閉機構を備えた冷蔵庫示す正面図である。冷蔵庫１は上段に冷蔵室２が設けられ、下段に野菜室３と冷凍室４とが左右に並んで配置される。冷蔵室２は左右両開きの扉２ａにより本体部６（図４参照）の前面を覆われ、詳細を後述するように左右に対称に設けられたハンドル５の操作によって左右どちらからでも開閉可能になっている。
【００２１】
図２、図３は冷蔵室２の本体部６（図４参照）側の下部に配されるヒンジアングル１０の左半分を示す正面図及び上面図である。ヒンジアングル１０は亜鉛メッキ鋼板等の金属により左右対称に形成され、本体部６にネジ止めされる。ヒンジアングル１０にはステンレス等から成るヒンジピン１１及びロック外カム１２がカシメ止めによって左右対称に設けられている。
【００２２】
また、ヒンジアングル１０の上面にはインサート成形によりヒンジカバー１０ａが設けられている。ヒンジピン１１は扉２ａの枢支軸となり、ヒンジピン１１と同心の円弧状のリブ１３がヒンジカバー１０ａと一体に形成されている。ロック外カム１２はヒンジピン１１から所定距離離れて配置され、スライド外カム２２（図４参照）と摺動して扉２ａを案内する。
【００２３】
図４は扉２ａの下端の左側に設けられるスライドカム部材２０とヒンジアングル１０との係合関係を示す平面図である。スライドカム部材２０は扉２ａの左右端に対称に設けられる。スライドカム部材２０の端部にはヒンジピン１１を相対的に摺動案内する略Ｌ字型に連続した第１、第２溝カム２４、２５が凹設されている。
【００２４】
第２溝カムの周囲にはリブ１３と摺動するボス２３が突設されている。第１、第２溝カム２４、２５の扉中央側には溝部２１が凹設される。溝部２１内にはロック外カム１２に対向するスライド外カム２２が突設される。これにより、スライドカム部材２０及びヒンジアングル１０は互いに係合して扉２ａを案内するカム機構を構成する。尚、同図において、スライドカム部材２０の上記各構成は下面に設けられるが、便宜上、実線で示している。
【００２５】
また、スライドカム部材２０は扉２ａの上面にも左右対称に設けられ、本体部６の上方にはスライドカム部材２０に係合するヒンジピン１１、ロック外カム１２及びリブ１３が設けられている。
【００２６】
扉２ａの下面に配されるスライドカム部材２０の溝部２１内にはカムレバー３１（当接部）が配置されている。カムレバー３１はロック外カム１２に対向配置され、扉２ａに支持されたクランクシャフト３２（図５参照）の第２軸部３２ｂを回動中心として回動する。
【００２７】
図５、図６、図７は扉２ａの左下部を示す正面断面図、上面断面図及び側面断面図である。また、図８は図５のＡ−Ａ断面図である。ハンドル５は扉２ａに設けられたシャフト受け７に嵌合するシャフト５１で軸支される。これにより、ハンドル５はシャフト５１が回動軸となり、操作部５ａを把持して前方に引くことにより回動する。シャフト５１にはねじりバネ５５が挿通される。ねじりバネ５５は回動するハンドル５を元の位置に復帰させる。
【００２８】
ハンドル５はハンドル本体部５２、ハンドル補強アングル５３及びハンドル装飾板５４から成っている。図９（ａ）〜（ｃ）はハンドル本体部５２を示す平面図、正面図及び側面図である。ハンドル本体部５２は樹脂成形品から成り、シャフト５１が挿通される挿通孔５２ａが一端に設けられる。挿通孔５２ａよりも扉２ａの中央側が開放端となり、使用者が把持する操作部５ａが形成される。
【００２９】
図１０（ａ）、（ｂ）はハンドル補強アングル５３を示す平面図及び正面図である。ハンドル補強アングル５３は金属板から成り、ハンドル本体部５２の前面に取付けられる。ハンドル補強アングル５３の一端にはシャフト５１が挿通される挿通孔５３ａが形成される。挿通孔５３ａに対して操作部５ａと同じ側には、クランクシャフト３２の第１軸部３２ａ（図１２参照）が挿通される長孔５３ｂが設けられる。
【００３０】
図１１（ａ）〜（ｃ）はハンドル装飾板５４を示す平面図、正面図及び側面図である。ハンドル装飾板５４は樹脂成形品から成り、裏面側に突設される係合爪５４ａが係合孔５２ｂ（図９参照）に係合してハンドル本体部５２に取付けられる。
【００３１】
図１２はクランクシャフト３２を示す正面図である。クランクシャフト３２は平行な第１、第２軸部３２ａ、３２ｂを有し、第２軸部３２ｂの下端を折曲して屈曲部３２ｃが形成されている。また、第１軸部３２ａの下端と第２軸部３２ｂの上端とを連続させる連続部３２ｄが屈曲により形成されている。
【００３２】
屈曲部３２ｃにはカムレバー３１が取り付けられ、カムレバー３１が第２軸部３２ｂに垂設される。第１軸部３２ａはハンドル補強アングル５３の長孔５３ｂに挿通して遊嵌され、ハンドル５とクランクシャフト３２を連結する。クランクシャフト３２でハンドル５とカムレバー３１とを連結することにより、本体部６の開口部の周囲に対向配置されるカムレバー３１から上下に離れた所望の位置にハンドル５を配置して利便性を向上することができる。
【００３３】
扉２ａにはハンドル５の下方にシャフトカバー５６が設けられる。シャフトカバー５６は樹脂成形品から成り、扉２ａ内に充填される発泡樹脂を遮蔽してクランクシャフト３２を挿通できるようになっている。図１３（ａ）、（ｂ）はシャフトカバー５６にクランクシャフト３２を挿通した状態の詳細を示す正面断面図及び上面断面図である。また、図１４（ａ）、（ｂ）はシャフトカバー５６を示す平面図及び正面断面図である。
【００３４】
シャフトカバー５６はクランクシャフト３２に沿ったクランク状に形成され、第１軸部３２ａが配される上方の第１空間部５６ｂと、第２軸部３２ｂが配される下方の第２空間部５６ｃとが連通する。第１空間部５６ｂは第１軸部３２ｂ及び連続部３２ｄが回動可能なように平面視略扇形に形成されている。
【００３５】
第１空間部５６ｂの幅Ｗ１はクランクシャフト３２の連続部３２ｄの長さよりも広く形成されている。これにより、本実施形態では連続部３２ｄよりも短い屈曲部３２ｃが第１空間部５６ｂの上面の開放端から挿入される。そして、屈曲部３２ｃが第１空間部５６ｂの底面をスライドして第２空間部５６ｃに配置され、連続部３２ｄが第１空間部５６ｂに挿入される。このため、第２空間部５６ｃの幅Ｗ２は屈曲部３２ｃの長さよりも広く形成され、連続部３２ｄの長さよりも狭くてもよい。
【００３６】
尚、連続部３２ｄが屈曲部３２ｃよりも短い場合は、連続部３２ｄを第２空間部５６ｃの下面の開放端から挿入し、第２空間部５６ｃの上面をスライドして第１空間部５６ｂに配置することができる。この場合は、屈曲部３２ｃがシャフトカバー５６内を貫通しないため、第１、第２空間部５６ｂ、５６ｃの幅Ｗ１、Ｗ２を連続部３２ｄの長さよりも広く形成すればよく、屈曲部３２ｃの長さよりも狭くてもよい。
【００３７】
第２空間部５６ｃの第１軸部３２ａ側の端部は断面半円状の円筒面から成り、該円筒面に複数の支持リブ５６ｆを放射状に突設した嵌合部５６ａが形成されている。嵌合部５６ａは第２軸部３２ｂを嵌合し、第２空間部５６ｃの幅方向の一方を開放して略半周を支持する。
【００３８】
第２軸部３２ｂの開放側は第２空間部５６ｃに配された支持部材５７が当接して支持される。これにより、クランクシャフト３２及びカムレバー３１はハンドル５の回動によって第２軸部３２ｂを回動中心として回動するレバー部材３０（図６参照）を構成する。また、嵌合部５６ａ及び支持部材５７により第２軸部３２ｂの位置変動を防止してハンドル５をスムーズに回動することができる。第２軸部３２ｂと支持部材５７とは密着させながら第２軸部３２ｂを摺動回転させてもよいし、第２軸部３２ｂと支持部材５７の間に僅かな隙間を設けて第２軸部３２ｂを摺動回転させてもよい。
【００３９】
図１５（ａ）、（ｂ）は支持部材５７を示す平面図及び側面断面図である。支持部材５７は樹脂成形品から成り、第２空間部５６ｃに嵌合して保持される保持部５７ａと、第２軸部３２ｂを支持する軸支持部５７ｂとを有している。軸支持部５７ｂの端面は第２軸部３２ｂに沿った円筒面から成り、保持部５７ａよりも第２軸部３２ｂの軸方向に長く形成される。これにより、第２軸部３２ｂをより確実に支持することができる。
【００４０】
また、第２空間部５６ｃの内壁には、第２軸部３２ｂの軸方向に延びるリブ５６ｄが軸に垂直な方向に並んで複数突設される。また、第２空間部５６ｃの内壁にはリブ５６ｄの下端を結ぶ段差５６ｅが設けられている。第２空間部５６ｃの下面の開放端から挿入される支持部材５７は、リブ５６ｄ及び段差５６ｅに当接して軸方向が位置決めされている。      
【００４１】
第２空間部５６ｃの内周面にリブ５６ｄ及び段差５６ｅを設けることにより、支持部材５７の傾斜を防止することができる。これにより、第２軸部３２ｂと軸支持部５７ｂとの隙間が部分的に大きくなることを防止し、安定して第２軸部３２ｂを支持することができる。第２軸部３２ｂと軸支持部５７ｂとの隙間は２ｍｍ以下であることが望ましい。また、リブ５６ｄ及び段差５６ｅの一方を省いてもよいが、両方を設けることによってより安定した支持を行うことができる。
【００４２】
また、第２空間部５６ｃの下面の開放端と屈曲部３２ｃとの距離Ｌは保持部５７ａの厚みｔよりも大きくなっている。これにより、第２空間部５６ｃの下面の開放端から支持部材５７を容易に挿入することができる。
【００４３】
上記構成の扉開閉機構において、ハンドル５の操作部５ａを引くと、操作力が長孔５３ａを介して第１軸部３２ａに伝えられ、第１軸部３２ａが第１空間部５６ｂ内を前方に回動する。第１軸部３２ａの回動によりクランクシャフト３２は第２軸部３２ｂを回動中心として回動し、カムレバー３１が後方に回動してロック外カム１２を押圧する。これにより、図１６に示すように、扉２ａが開口部の周囲から所定間隔離隔される。
【００４４】
この時、操作部５ａとシャフト５１との距離に対して第１軸部３２ａとシャフト５１との距離が小さく、操作部５ａの操作力が増幅される。また、第１軸部３２ａと第２軸部３２ｂとの距離に対して第２軸部３２ｂとカムレバー３１のロック外カム１２に当接する部分との距離が小さくなっている。これにより、操作力が更に増幅される。従って、ハンドル５及びレバー部材３０によって倍力機構を構成し、軽い操作力でロック外カム１２を押圧することができる。
【００４５】
また、シャフト５１に対して操作部５ａと第１軸部３２ａとは同じ側に配置されるため、ハンドル５とレバー部材３０とが平面視重なって配置される。これにより、ハンドル５の左右方向の幅内にレバー部材３０が設けられる。従って、ハンドル５の大きさが制限された場合でも、操作部５ａとシャフト５１との距離を長くとって小型で操作力の増幅率の大きい扉開閉機構を得ることができる。扉２ａ下端のスペースがある場合はハンドル５の幅からレバー部材３０をはみ出して配置してもよい。
【００４６】
また、シャフト５１とカムレバー３０とを第１軸部３２ａに対して反対側に配置しているので、ハンドル５の左右方向の幅内にレバー部材３０を設けつつ、シャフト５１と第１軸部３２ａとの距離を短くすることができる。従って、操作力をより大きく増幅させることができる。
【００４７】
尚、第１軸部３２ａと第２軸部３２ｂとの距離に対して第２軸部３２ｂとカムレバー３１のロック外カム１２に当接する部分との距離を略等しく若しくは若干長く形成してもよい。このようにすると、レバー部材３０による操作力の増幅効果は得られない。しかし、操作部５ａとシャフト５１との距離を長くとって小型で操作力の増幅率の大きい扉開閉機構を得ることができる。
【００４８】
また、ハンドル５とレバー部材３０とは回動中心が異なるため、これらを連結する第１軸部３２ａは長孔５３ａに遊嵌されている。第１軸部３２ａをハンドル５に回動自在に固定して、第２軸部３２ｂを扉２ａに遊嵌してもよい。第２軸部３２ｂを固定して第１軸部３２ａを遊嵌した場合は、カムレバー３１の押圧位置を一定にして安定して押圧することができる。
【００４９】
図１７〜図２０は扉２ａを開成する際のカム機構の動作を示す平面図である。図１７において、扉２ａの閉止状態では左右のカム機構はヒンジピン１１が第１溝カム２４の端部に配置された第１係止位置をとる。第１溝カム２４は後方へいくほど扉２ａの中央側に傾斜しているため、扉２ａを係止して扉２ａの両側を引くことによる脱落が防止される。
【００５０】
扉２ａの左側のハンドル５の操作部５ａを引くと、前述の図１６に示すように、カムレバー３１によって左側のロック外カム１２が押圧され、扉２ａが本体部６から離隔する。図１８はこの時の状態を示している。左側のカム機構は、ヒンジピン１１が第１カム溝２４により相対的に案内され、ロック外カム１２とスライド外カム２２とが摺動する。右側のカム機構はヒンジピン１１が第２カム溝２５により相対的に案内される。これにより、扉２ａは回動しながら左方向にスライド移動する。
【００５１】
更にハンドル５を引くと左側のロック外カム１２からカムレバー３１が離れる。図１９はこの時の状態を示している。左側のカム機構は、上記と同様に、ヒンジピン１１が第１カム溝２４により相対的に案内され、ロック外カム１２とスライド外カム２２とが摺動する。右側のカム機構はヒンジピン１１が第２カム溝２５の端部に配置され、ボス２３がリブ１３と摺動を開始する。これにより、ヒンジピン１１は相対的にスライドがロックされ、回動自在に支持される。
【００５２】
更にハンドル５を引くと、図２０に示すように、左側のカム機構は係合を解除される。右側のカム機構は第２係止位置でボス２３がリブ１３に摺動し、スライド外カム２２がロック外カム１２を摺動案内する。そして、右側のカム機構が第２係止位置を維持して扉２ａが開放される。
【００５３】
上記の左右両開きの扉２ａは開成時に開く側の外側にスライド移動を伴う。ハンドル５の回動軸となるシャフト５１に対して操作部５ａが扉２ａの中央側に配置されるため、操作部５ａの操作力は開く側の外側に向かって働く。従って、容易に扉２ａをスライド移動させてより操作性のよい扉開閉機構を得ることができる。
【００５４】
本実施形態において、冷蔵室２の底壁をレバー部材３０により押圧しているが、冷蔵室２の側壁を押圧してもよい。また、左右両開きの回動式の扉２ａにハンドル５及びレバー部材３０を有する扉開閉機構を設けているが、扉２ａを面内で９０度回転してハンドル５を上下に配置した上下両開きの扉開閉機構（例えば、車のダッシュボードや皿洗い機の開閉扉等）であってもよい。また、貯蔵物を出し入れする開口部を上面に設けた冷凍庫等の扉開閉機構であってもよい。加えて、これらに用いられる扉開閉機構において、上下左右前後のいずれか一箇所を引いて扉が回動する片開きの扉開閉機構にしてもよい。
【００５５】
更に、前後にスライド移動する扉（例えば、冷蔵庫用のスライド式扉等）に本実施形態と同様の扉開閉機構を設けてもよい。この場合、例えばハンドル５の回動軸となるシャフト５１を扉２ａの左右方向の中央部に横設し、左右方向に所定の幅を有したハンドル５の操作部５ａをシャフト５１の下方に配置する。また、ハンドル５の下部に対向する扉２ａの表面に凹部を設ける。
【００５６】
クランクシャフト３２は第２軸部３２ｂが左右方向に扉２ａの側面まで延びて形成され、カムレバー３１を扉２ａの側部の本体部６に対向配置する。これにより、操作部５ａの裏面に手指を挿入してハンドル５を引くと、カムレバー３１が扉２ａ側方の本体部６を押圧して扉２ａを本体部６から所定間隔離隔させることができる。尚、ハンドル５の操作部５ａを、シャフト５１の上方に配置してもよい。
【産業上の利用可能性】
【００５７】
本発明は、冷蔵庫、車のダッシュボード、皿洗い機等の扉を開閉する扉開閉機構に利用することができる。
【図面の簡単な説明】
【００５８】
【図１】本発明の実施形態の冷蔵庫を示す正面図
【図２】本発明の実施形態の冷蔵庫のヒンジアングルを示す正面図
【図３】本発明の実施形態の冷蔵庫のヒンジアングルを示す平面図
【図４】本発明の実施形態の冷蔵庫のスライドカム部材を示す平面図
【図５】本発明の実施形態の冷蔵庫の扉のハンドル部分を示す正面断面図
【図６】本発明の実施形態の冷蔵庫の扉のハンドル部分を示す平面断面図
【図７】本発明の実施形態の冷蔵庫の扉のハンドル部分を示す側面断面図
【図８】図５のＡ−Ａ断面図
【図９】本発明の実施形態の冷蔵庫のハンドル本体部を示す図
【図１０】本発明の実施形態の冷蔵庫のハンドル補強アングルを示す図
【図１１】本発明の実施形態の冷蔵庫のハンドル装飾板を示す図
【図１２】本発明の実施形態の冷蔵庫のクランクシャフトを示す正面図
【図１３】本発明の実施形態の冷蔵庫のクランクシャフトをシャフトカバーに挿通した状態を示す図
【図１４】本発明の実施形態の冷蔵庫のシャフトカバーを示す図
【図１５】本発明の実施形態の冷蔵庫の支持部材を示す図
【図１６】本発明の実施形態の冷蔵庫の扉開成時のハンドル部分を示す平面断面図
【図１７】本発明の実施形態の冷蔵庫の扉開成時のカム機構の動作を示す平面図
【図１８】本発明の実施形態の冷蔵庫の扉開成時のカム機構の動作を示す平面図
【図１９】本発明の実施形態の冷蔵庫の扉開成時のカム機構の動作を示す平面図
【図２０】本発明の実施形態の冷蔵庫の扉開成時のカム機構の動作を示す平面図
【符号の説明】
【００５９】
１    冷蔵庫
２    冷蔵室
２ａ  扉
３    野菜室
４    冷凍室
５    ハンドル
５ａ  操作部
６    本体部
１０    ヒンジアングル
１１    ヒンジピン
１２    ロック外カム
１３    リブ
２０    スライドカム部材
２２    スライド外カム
２３    ボス
２４    第１溝カム
２５    第２溝カム
３０    レバー部材
３１    カムレバー（当接部）
３２    クランクシャフト
３２ａ  第１軸部
３２ｂ  第２軸部
５１    シャフト
５２    ハンドル本体部
５３    ハンドル補強アングル
５３ａ  長孔
５４    ハンドル装飾板
５６    シャフトカバー
５６ａ  嵌合部
５６ｂ  第１空間部
５６ｃ  第２空間部
５６ｄ、５６ｆ  リブ
５６ｅ  段差
５７    支持部材
５７ａ  保持部
５７ｂ  軸支持部
【図１】
2006132788.tif 000003
【図２】
2006132788.tif 000004
【図３】
2006132788.tif 000005
【図４】
2006132788.tif 000006
【図５】
2006132788.tif 000007
【図６】
2006132788.tif 000008
【図７】
2006132788.tif 000009
【図８】
2006132788.tif 000010
【図９】
2006132788.tif 000011
【図１０】
2006132788.tif 000012
【図１１】
2006132788.tif 000013
【図１２】
2006132788.tif 000014
【図１３】
2006132788.tif 000015
【図１４】
2006132788.tif 000016
【図１５】
2006132788.tif 000017
【図１６】
2006132788.tif 000018
【図１７】
2006132788.tif 000019
【図１８】
2006132788.tif 000020
【図１９】
2006132788.tif 000021
【図２０】
2006132788.tif 000022